(57)【特許請求の範囲】
【請求項１】
リードイン領域と、
上記リードイン領域からのそれぞれの単一の標準化されたオフセット位置から始まるマスタＴＯＣ（Table  of  content）領域と、
第１のサブＴＯＣ領域と、上記第１のサブＴＯＣ領域に後続するトラック領域と、上記トラック領域に後続し上記第１のサブＴＯＣ領域と同一の複製データが記録される第２のサブＴＯＣ領域とからなるオーディオ領域と、
上記第１及び第２のサブＴＯＣ領域の記録位置に関するポインタを上記マスタＴＯＣ領域に記録したことを特徴とするディスク。
【請求項２】
リードイン領域と、
第１のサブＴＯＣ領域と、上記第１のサブＴＯＣ領域に後続するトラック領域と、上記トラック領域に後続し上記第１のサブＴＯＣ領域と同一の複製データが記録される第２のサブＴＯＣ領域とからなるオーディオ領域と、
上記リードイン領域からのそれぞれの単一の標準化されたオフセット位置から始まり、上記第１及び第２のサブＴＯＣ領域の記録位置に関するポインタが記録されたマスタＴＯＣ領域とを記録したディスクを再生する再生装置において、
上記リードイン領域からのそれぞれの単一の標準化されたオフセット位置に基づいてマスタＴＯＣ領域を特定するとともに、上記マスタＴＯＣ領域から再生された第１及び第２のサブＴＯＣ領域の記録位置に関するポインタに基づいて第１及び第２のサブＴＯＣ領域を特定することを特徴とする再生装置。
【請求項３】
ディスクに、
リードイン領域を設ける段階と、
上記リードイン領域からのそれぞれの単一の標準化されたオフセット位置から始まるマスタＴＯＣ（Table  of  content）領域を設ける段階と、
第１のサブＴＯＣ領域と、上記第１のサブＴＯＣ領域に後続するトラック領域と、上記トラック領域に後続し上記第１のサブＴＯＣ領域と同一の複製データが記録される第２のサブＴＯＣ領域とからなるオーディオ領域を設ける段階とを有し、
上記第１及び第２のサブＴＯＣ領域の記録位置に関するポインタを上記マスタＴＯＣ領域に記録したことを特徴とするディスク記録方法。
【発明の詳細な説明】
【０００１】
発明の背景
本発明は、請求項１の前文で記載された方法に関する。ディジタルオーディオをディスク又は、テープ等の単一の媒体に蓄積することは、広く行われている。実際にオーディオを複数の副部分に副分割する場合には、テーブルオブコンテンツ（ＴＯＣ）を設けることで簡単な方法で情報にアクセスできる。このようなＴＯＣは、何が蓄積されているか及び、どこに蓄積されているかを少なくとも規定する。オーディオは、例えば、２チャネルステレオ、サラウンドサウンド応用のような多（５−６）チャネルオーディオ及び、その他の種々の標準化されたフォーマットによって定義され得る。オーディオ提供者は、同じ及び/又は異なるそのようなフォーマットを有する種々のトラック領域を、光ディスクのような単一の媒体に結合することを望んでいるであろう。
発明の概要
従って、本発明の目的は、ユーザが、高速に且つ簡単に種々のオーディオトラック領域にアクセスできるオーディオ管理システムを提供することである。それゆえ、１つの特徴に従って、本発明は、請求項１の特徴部分を特徴とする。ユーザは、種々のトラック領域の間を区別でき、また、もし可能なら、ＴＯＣ自身をデータ誤り無しに、強力な方法で単一のトラック領域の種々の項目を操作できる。
【０００２】
発明は、また、方法を用いて生産される単一の蓄積媒体、そのような方法を実施するために配置された蓄積装置、及び、そのような蓄積媒体とインターフェースするために配置された読取又は再生装置にも関する。特定のオーディオ媒体例では、ステレオのみに制限され、それによって、多チャネル版は、実際にはダミーである。標準化の理由から、多レベルＴＯＣ機構は採用されるであろう。更に、発明の優位点は、独立請求項で列挙される。
好適な実施例の詳細な記載
本発明の特徴及び利点は、好適な実施例を参照しながら、特に添付の図面を参照しながら、以後詳細に説明される。
【０００３】
図１ａは、トラック１９及び、中心穴１０を有するディスク状記録担体１１を示す。トラック１９は、情報層に、実質的に平行なトラックを形成する螺旋状パターンを有する。担体は、記録可能又は、予め記録された光学式ディスクでも良い。ＣＤ−Ｒ，ＣＤ−ＲＷ及び、ＤＶＤ−ＲＡＭは記録可能ディスクである。オーディオＣＤは予め記録されたディスクである。予め記録されたディスクは、最初にマスタディスクを記録し、次に消費者用ディスクをプレスすることにより生産される。記録可能記録担体上のトラック１９は、プリエンボストラック構造により形成される。トラックは、読み出し／書きこみヘッドがトラック１９を追従できるように、プリグルーブ１４に配置される。情報は、例えば、ピットやランド等の、トラックに沿った光学的に検出可能なマークによって情報層に記録される。
【０００４】
図１ｂは、記録可能な記録担体１１の線ｂ−ｂに沿った断面図である。ここで透明基板１５は、記録層１６及び、保護層１７を担う。プリグルーブ１４は、欠刻や、高さ又は、周囲と偏差する材料特性として実現されうる。
【０００５】
ユーザの便利のために、記録担体上のオーディオ情報は、アルバム中の歌曲や交響曲の楽章のように、数分間ずつの継続時間を有する部分に副分割される。担体は、テーブルオブコンテンツ（ＴＯＣ）又は、ＣＤ−ＲＯＭのＩＳＯ９６６０のようなファイルシステム等の、その部分を識別するアクセス情報も有する。
アクセス情報は、各部分の再生時間、開始アドレス及び、歌曲の題名等の更なる情報を有し得る。
【０００６】
オーディオ情報は、アナログディジタル変換（Ａ／Ｄ）後にディジタル形式で記録される。Ａ／Ｄ変換の例は、ＣＤオーディオとして知られている４４．１ｋＨｚのサンプル当りＰＣＭ１６ビット及び、例えば、ビットストリームと呼ばれる６４ｘＦｓの高オーバーサンプリングレートの１ビットシグマデルタ変調である。後者は、高品質符号化方法であり、高品質復号又は、低品質復号のいずれかができる。関連文献Ｄ５のＪ．Ｊ．ｖａｎ  ｄｅｒ  Ｋａｍによる’ｈｉ−ｆｉオーディオ信号のアナログディジタル変換のための間引きディジタルフィルタ’及び、関連文献Ｄ６のＫｉｒｋ  Ｃ．Ｈ． Ｃｈａｏ他による’オーバーサンプリングＡ／Ｄ変換器のための補間的変調器のための高次トポロジー’を参照する。Ａ／Ｄ変換後、ディジタルオーディオは、情報層に記録するために可変ビットレートオーディオデータに圧縮される。圧縮されたオーディオデータは、連続してオーディオを再生するときに、伸張後に、元々の時間スケールが実質的に再現されるような速度で、担体から読み出される。従って、圧縮されたデータは、記録担体から変化するビットレートに依存する速度で取り出されなければならない。データはいわゆる転送速度で、即ち、記録担体から伸張器へデータバイトを転送する速度で、取り出される。一定の螺旋データ密度の記録担体は、領域の単位当りのデータ蓄積容量が最も高い。転送速度は、媒体と読み出し／書きこみヘッドの相対線速度に比例する。伸張器の前にバッファがあれば、実際の転送速度はバッファ前の速度である。
【０００７】
図２は、図１に示す記録担体１１を読み出す本発明の再生装置を示す。装置は、担体１１を回転させる駆動手段２１及び、記録トラックを走査する読み出しヘッド２２を有する。位置決め手段２５は、読み出しヘッド２２の大まかな半径方向の位置決めを行う。光学部品で導かれ、情報トラック上にスポット２３を合焦するビーム２４を発生する放射源を有する知られた光学系を有する。読み出しヘッドは、放射２４の焦点をビームの光軸に沿って移動するフォーカスアクチュエータと、スポット２３を半径方向にトラックの中心上に正確に位置決めするトラッキングアクチュエータを更に有する。トラッキングアクチュエータは、光学部品を移動するコイルを有し得る又は、反射部品の角度を変化するように配置され得る。情報層で反射された放射は、読み出しヘッド２２の中の、例えば、読み出し信号と、更に、それぞれトラッキングアクチュエータ及び、フォーカスアクチュエータのためのトラッキングエラー及び、フォーカスエラーを含む検出信号を生成する４文円ダイオードの、知られた検出器で検出される。読み出し信号は、例えば、チャネル復号器や誤り訂正器などの、取り出されたデータを取り出すための標準的な読み出し手段２７により処理される。取り出されたデータは、データ選択手段２８へ送られる。選択は、例えば、フレームフォーマットのヘッダ等の、記録担体上にあるデータ形式識別子に基づく。バッファ２９から、圧縮されたオーディオデータは信号３０として伸張器３１へ送られる。伸張器３１は、圧縮されたオーディオデータを復号し、元々のオーディオ情報を出力３２へ生成する。伸張器は、独立したＤ／Ａ変換器３３内に設けられても良くまた、バッファはデータ選択前に配置されても良い。バッファ２９は、独立して存在しても良く、また、伸張器のバッファと結合しても良い。装置はさらに、ユーザからの或は図示していないいがホストコンピュータからの制御命令を受ける制御装置２０を有する。制御装置２０は、制御線２６を介して、駆動手段２１、位置決め手段２５、読み出し手段２７、及び、データ選択手段２８、及び、充填レベル制御のためのバッファ２９に接続される。このために、制御装置２０は、以下の手続きを行うディジタル制御回路を有し得る。
【０００８】
オーディオ圧縮及び、伸張の技術は知られている。オーディオは、ディジタル化後、信号の相関を分析し、そして、規定のサイズの部分に関するパラメータを生成することで圧縮され得る。伸張中は、逆処理が元の信号を再構成する。元のディジタル化された信号が正確に再構成される場合には、圧縮（伸張）は無損失である。損失のある圧縮（伸張）は、実質的に、人間の耳又は、目では検出できない元の信号の細部を再生しない。ＤＣＣ又は、ＭＰＥＧのようなオーディオ及び、ビデオの最も知られたシステムは、損失のある圧縮を使用し、一方、無損失圧縮は、コンピュータデータで使用される。オーディオ圧縮及び伸張の例はＤ２、Ｄ３及び、Ｄ４で与えられる。
【０００９】
データ選択手段２８は、読み出し信号から、特に転送速度プロファイルを示すある制御情報を取り出す。データ選択手段２８は、速度プロファイルに従って記録の間に付加されたスタッフィングデータを捨てる。制御装置２０が記録担体からオーディオ項目を再生することを命令したときは、位置決め手段２５は、ＴＯＣを有するトラックに読み出しヘッドを移動する。その項目の開始アドレス及び、速度プロファイルが、データ選択手段２８を介してＴＯＣから取り出される。代わりに、ディスクが装置に挿入されたときに、ＴＯＣの無い様が１回読まれメモリに蓄積されてもよい。項目を再生するために、駆動手段２１は、速度プロファイルで示された速度で記録担体を回転する。必要な回転レートは、駆動手段を設定するために速度プロファイルで与えられ得る代わりに。速度プロファイルは、ビットレートを有しても良く、そのときは、回転レートは次のように計算される。規格からトラックピッチやビット長のような記録担体密度パラメータは通常は再生装置では知られているので、開始アドレスから項目の半径方向の位置が計算される。続いて、回転レートを、ビットレートと半径位置から得ることができる。バッファのオーバーフロー及び、アンダーフロー無しに連続再生するために、転送速度は、Ｄ／Ａ変換器の再生速度、即ち、伸張後のビットレートに結合する。さらに、装置は、伸張器を制御する基準周波数源を有し、回転レートは基準周波数と速度プロファイルに従って設定される。回転レートは、バッファ２９の平均充填レベルにより、即ち、バッファが平均の５０％以上充填された場合には、回転レートを下げるように調整される。
【００１０】
図３は、情報を（再）書きこみ可能な記録担体１１に書きこむための記録装置を示す。記録動作中は、色素、合金、又は、相変化又は、周囲と磁化の方向が異なる領域の形式で記録されることにより、光学的に読み出し可能、即ち、反射率がその周囲と異なる領域として、情報を示すマークが、記録担体上に形成される。光学式ディスク上に記録する情報の、書きこみ及び、読み出し及び、使用できるフォーマットの規則、誤り訂正及び、チャネル符号化は、例えば、ＣＤシステムから良く知られている。マークは、通常はレーザダイオードを使用した電磁放射のビーム２４を介して記録装置に発生されたスポット２３を通して形成される。記録装置は、図２を参照して説明したのと同様な基本要素、即ち、制御装置２０、駆動手段２１及び、位置決め手段２５を有し、しかし、特徴的な書きこみヘッド３９を有する。オーディオ情報は、圧縮手段３５の入力に与えられる。好ましい圧縮は、Ｄ２，Ｄ３及び、Ｄ４に記載されている。圧縮手段３５の出力の可変レートで圧縮されたオーディオは、バッファ３６へ送られる。バッファ３６から、データは、スタッフィングデータと更なる制御データを付加するためのデータ結合手段３７へ送られる。全データストリームは、記録のための書きこみ手段３８へ送られる。書きこみヘッド３９は、例えば、フォーマッタ、誤り訂正符号化器及び、チャネル変調器を有する書きこみ手段３８と結合する。書きこみ手段３８の入力に与えられるデータは、フォーマット化と符号化規則に従って論理及び、物理セクタに亘って分散され、書きこみヘッド３９のための書きこみ信号へ変換される。装置２０は、バッファ３６、データ圧縮手段３７及び、書きこみ手段３８を制御線２６を介して制御し、そして、読み出し装置のための上述の位置決め処理を行う。記録装置は、再生装置の特徴も有し、結合された記録／再生ヘッドも有する。
【００１１】
図４は、本発明で使用するファイルシステムを示し、種々の異なるオプションが実現できる。発明者は、蓄積媒体がＵＤＦファイルシステム又は、ＩＳＯ９６６０ファイルシステムに基づくものを提案している。両システムは当業者には標準である。代わりの場合としては，ファイルシステムが全く無い場合、及び、関連するセクタ空間が空白の場合である。
【００１２】
ファイルシステムでは、全てのオーディオファイルは、サブディレクトリＳＣＤ＿ＡＵＤＩＯに配置されたオーディオファイルに蓄積される。図４に示すように、階層は、種々の下位ファイル５２，５４，５６を指すＲＯＯＴファイル５０に基づいている。ＭＡＳＴＥＲ．ＴＯＣ５２の構造は、以後説明する。更に２＿ＣＨ＿ＡＵＤＩＯファイル５４がある。これは、ＴＯＣ２＿ＣＨ＿ＴＯＣ５８及び、種々のステレオトラックＴＲＡＣＫｎ．２ＣＨ６０を指す。更にＭ＿ＣＨ＿ＡＵＤＩＯファイル５６は、ＴＯＣＭ＿ＣＨ＿ＴＯＣ６２と並列の種々のマルルチチャネルトラックＴＲＡＣＫｎ．ＭＣＨ６４を指す。
【００１３】
図５は、本発明と共に使用する、例により、単一の連続トラックにマップされた第１蓄積配置を示す。水平軸に沿って、次の項目が明かである。項目１２０は、読み出し器と媒体の駆動を相互に同期させるのに使用するリードイン領域である。項目１２２は図４を参照して説明したファイルシステムを示す。項目１２４は、ＭＡＳＴＥＲ＿ＴＯＣを示す。ＭＡＳＴＥＲ＿ＴＯＣは、標準手続きにより配置され、かつ、ステレオ領域１２６及び、マルチチャネル領域１２８がそして、もし必要ならエクストラックデータ領域が続く。これらの３つの領域の長さは、種々の異なる量の情報が存在しうるので、標準化される必要は無い。オーディオ領域に関しては、オーディオトラック領域そのものは、関連するＳＵＢ＿ＴＯＣと同様に含まれる。以後の開示とは別に、項目１２６，１２８，１３０の内容は、従来の規格に従って定義されることができ、それ自身は本発明の部分を構成しない。一般的に、種々のチャネル間で区別することは別として、オーディオ領域は同じ構造を有し、また、同じ種類の情報を有する。オーディオは、単純に符号化され又は、無損失符号化されてもよい。全ての種類のオーディオは、コンパクトディスクテキストの様に、補助データと共に多重される。
【００１４】
項目１３２は、リードアウト情報を示す。後者の項目は特にサーチ中に使用される。そのトラックは、トラック番号とアドレス以外の情報は含まない。リードアウトトラック数は、０．５から１ミリメータの幅の環である。上記に従って、蓄積された情報は、項目１２２示されているファイルシステム又は、項目１２４に示されているＴＯＣ構造のいずれかを介して、特に、以後説明される２つ又は、多レベルのＴＯＣ構造を介してしてアクセスされる。
【００１５】
どの単一の又は、複数のマスタＴＯＣ１２４も、例えば、第１のマスタＴＯＣに対してはバイト番号５００等の、リードイン領域からのそれぞれの単一の標準化されたオフセット位置から始まる。本実施例では、マスタＴＯＣは、１標準サイズセクタのみの長さであり、最初に，以後説明する種々のサブＴＯＣ又は、領域ＴＯＣへのポインタを有する。マスタＴＯＣの好ましいシンタックスは次の様である。
１．１６バイトの署名は、例えば、”ＳＡＣＤ  Ｍａｓｔｅｒ  ＴＯＣ”の様に、マスタＴＯＣを識別する。署名は、３つのスペースキャラクタを有するが、アポストロフィは定義の部分ではない。
２．２バイトのＳｐｅｃ＿ｖｅｒｓｉｏｎはディスクで使用されているフォーマットの版番号を示す。
３．１４バイトのＳｐａｃｅは、整列のスタッフィングのために予約される。
４．４バイトの整数２ＣＨ−ｓｔａｒｔ＿ａｄｄｒｅｓｓは、ステレオ領域の第１セクタの論理アドレスを示す。
５．４バイトの整数２ＣＨ−ｅｎｄ＿ａｄｄｒｅｓｓは、ステレオ領域の最後セクタの論理アドレスを示す。
６．４バイトの整数ＭＣ−ｓｔａｒｔ＿ａｄｄｒｅｓｓは、マルチチャネル領域の第１セクタの論理アドレスを示す。
７．４バイトの整数ＭＣ−ｅｎｄ＿ａｄｄｒｅｓｓは、マルチチャネル領域の最後セクタの論理アドレスを示す。
８．４バイトの整数Ｅｘｔｒａ＿ｄａｔａ＿ｓｔａｒｔ＿ａｄｄｒｅｓｓは、エクストラックデータ領域の第１セクタの論理アドレスを示す。
９．４バイトの整数Ｅｘｔｒａ＿ｄａｔａ＿ｅｎｄ＿ａｄｄｒｅｓｓは、エクストラックデータ領域の最後セクタの論理アドレスを示す。
【００１６】
上述の前情報は、５６バイトである。更なる特徴が、マスタＴＯＣに付加され得る。ステレオ領域、マルチチャネル領域又は、エクスデータ領域等のある領域が無い場合には、当の領域の両開始及び、終了アドレスは、値ゼロを有する。
【００１７】
次に項目１２６及び、１２８は、それぞれ図６に関して以後説明される様にフォーマットされた、ステレオ及び、マルチチャネルオーディオ期間に対するサブＴＯＣ又は、領域ＴＣＯを有する。マスタＴＯＣの好ましいシンタックスは次の様である。
１６バイトの署名は、例えば、ステレオオーディオ領域に対しては”ＳＡＣＤ  ｓｔｅｒｅｏ  ＴＯＣ”及び、マルチチャネルオーディオ領域に対しては”ＳＡＣＤ  ＭＣ  ＴＯＣ”の様に、当のサブＴＯＣを識別する。バイト数は、最後にスペースキャラクタを付加することにより得られる。
２．２バイトのＳｐｅｃ＿ｖｅｒｓｉｏｎはディスクで使用されているフォーマットの版番号を示す。
３．４バイトのＳｕｂ＿ＴＯＣ＿ｌｅｎｇｔｈは、実際のＴＯＣのバイト数を示す。
４．１０バイトのＳｐａｃｅは、整列のスタッフィングのために予約される。
５．Ａｌｂｕｍ（）名及び、Ｃａｔａｌｏｇｕｅ（）名等の、／＊ディスクパラメータ＊／の可変サイズの組がある。
６．４バイトのｄｉｓｃ＿ｐｌａｙ＿ｔｉｍｅは、時間コードで表されたディスクの全連続再生時間を示す。
７．４バイトのｄｉｓｃ＿ｎａｍｅ＿ｐｏｉｎｔｅｒは、当のサブＴＯＣの開始からｄｉｓｃ＿ｎａｍｅ（）フィールドの開始までのオフセットをバイトで示す。当の値が０ならば、ｄｉｓｃ＿ｎａｍｅ（）フィールドは無い。
８．４バイトのｄｉｓｃ＿ｄａｔｅ＿ｐｏｉｎｔｅｒは、当のサブＴＯＣの開始からｄｉｓｃ＿ｄａｔｅ（）フィールドの開始までのオフセットをバイトで示す。当の値が０ならば、ｄｉｓｃ＿ｄａｔｅ（）フィールドは無い。
９．４バイトのｄｉｓｃ＿ｃｏｐｙｒｉｇｈｔ＿ｐｏｉｎｔｅｒは、当のサブＴＯＣの開始からｄｉｓｃ＿ｃｏｐｙｒｉｇｈｔ（）フィールドの開始までのオフセットをバイトで示す。当の値が０ならば、ｄｉｓｃ＿ｃｏｐｙｒｉｇｈｔ（）フィールドは無い。
１０．４バイトのｄｉｓｃ＿ｐｕｂｌｉｓｈｅｒ＿ｐｏｉｎｔｅｒは、当のサブＴＯＣの開始からｄｉｓｃ＿ｐｕｂｌｉｓｈｅｒ（）フィールドの開始までのオフセットをバイトで示す。当の値が０ならば、ｄｉｓｃ＿ｐｕｂｌｉｓｈｅｒ（）フィールドは無い。
１１．当のＴＯＣの開始を基準としたオフセット情報と、例えば、トラック名及び、当の記録の聴者に多分興味を持たせる非常に多くの項目等の種々の更なる項目を有するために、可変サイズＴｒａｃｋ＿Ｌｉｓｔ（）は、複数のオーディオトラックの各々に対して存在し得る。
【００１８】
図６は、図５に示すオーディオ領域１２６，１２８の構造の例を示す。ここで、トラック領域の前に領域又は、サブＴＯＣ−１が配置され、領域ＴＯＣ−２が続く。これらは、２つの同一の複製である。ビットごとの反転により、論理的に一致する他の方法で生成され得る。とにかく、分離された各複製は、２つのＴＯＣに含まれる全ての情報を有していなければならない。その位置は、各分離された領域ＴＯＣに対して、高いレベルのマスタＴＯＣで与えられる。トラック領域と続く領域ＴＯＣ−２の間のギャップは、許されていない。一方、先行する領域ＴＯＣ−１とトラック領域の間のギャップは許されており、領域Ｇで示される。そのようなギャップは、一般的には、特定の重要な情報は含まれておらず、特に、ＴＯＣ又は、トラックは無い。それゆえ、論理的には、トラック領域は、両端でＴＯＣに隣接する。領域ＴＯＣを２倍にしたこと及び、その相互の距離により、環境又は、他の影響による妨害は通常は２つの複製に対して２倍とならない。従って、内部に冗長度を持たなくとも、２つのうちの少なくとも１つの領域ＴＯＣの全部分の正しい蓄積の可能性は実際に保証される。そのような冗長度を通しての誤り訂正は、しばしば許容できない遅延をもたらす。実際、先行するＴＯＣが正しいなら、トラックの開始は実質的にすぐに効果がある。
関連文献リスト
（Ｄ１）研究発表番号３６４１１、１９９４年８月、４１２頁空４１３頁。
（Ｄ２）ＰＣＴ／ＩＢ９７／０１１５６（ＰＨＮ１６．４５２）１ビットＡＤＣ及び、オーディオの無損失圧縮。
（Ｄ３）ＰＣＴ／ＩＢ９７／０１３０３（ＰＨＮ１６．４０５）オーディオ圧縮器。
（Ｄ４）ＥＰ−Ａ４０２，９７３（ＰＨＮ１３．２４１）オーディオ圧縮。
（Ｄ５）’ｈｉ−ｆｉオーディオ信号のアナログディジタル変換のための間引きディジタルフィルタ’、 Ｊ．Ｊ．ｖａｎ  ｄｅｒ  Ｋａｍ、フィリップス技術レビュー４２、番号６／７、１９８６年４月、２３０−８ページ。
（Ｄ６）’オーバーサンプリングＡ／Ｄ変換器のための補間的変調器のための高次トポロジー’ 、Ｋｉｒｋ  Ｃ．Ｈ． Ｃｈａｏ他、ＩＥＥＥ回路システム、３７巻、番号３、１９９０年３月、３０９−１８頁。
【図面の簡単な説明】
【図１】  図１ａ及び１ｂは記録担体を示す図である。
【図２】  再生装置を示す図である。
【図３】  記録装置を示す図である。
【図４】  発明と共に使用するファイルシステムを示す図である。
【図５】  発明の蓄積配置を示す図である。
【図６】  オーディオ領域の構造を示す図である。
【図１ａ】
0004531978.tif 000002
【図１ｂ】
0004531978.tif 000003
【図２】
0004531978.tif 000004
【図３】
0004531978.tif 000005
【図４】
0004531978.tif 000006
【図５】
0004531978.tif 000007
【図６】
0004531978.tif 000008